(57)【要約】【課題】  遊技機の背面側のスペースを有効に利用可能な遊技機の提供を課題とする。【解決手段】  本発明において、照明部材を有する付加部材３０，４０，５０がパチンコ遊技機１のガラス枠１３に対して回動可能に取り付けられる。付加部材３０，４０，５０はパチンコ遊技機１の前方や外側に突出するため、高い装飾効果を実現することができる。一方、付加部材３０，４０，５０は回動可能であるため、付加部材３０，４０，５０を折り畳んでおくことができる。従って、パチンコ遊技機１をかさばらないようにすることができる。従って、パチンコ遊技機１を効率よく運搬したり、倉庫等に収納したりすることができる。【選択図】  図２
2006043267.tif 000002
【特許請求の範囲】
【請求項１】
略箱状の本体部に視認可能な遊技領域が形成された遊技機において、
上記本体部に回動可能に枢支され、同本体部の側に折り畳み可能な付加部材を具備することを特徴とする遊技機。
【発明の詳細な説明】
【技術分野】
【０００１】
本発明は、略箱状の本体部に視認可能な遊技領域が形成された遊技機に関する。
【背景技術】
【０００２】
従来、この種の遊技機として、遊技機の前方に突出する装飾を設けたのものが知られている。（例えば、特許文献１、参照。）。
かかる構成によれば、平面状となりがちな遊技機の前面側を立体的な構造によって装飾することができるため、遊技者に斬新さを提供することが可能であった。
【特許文献１】特開２００４−０８１４５６号公報
【発明の開示】
【発明が解決しようとする課題】
【０００３】
上述した従来の遊技機において、遊技機の前面側の構造を立体的とすることにより、遊技機の運搬時にかさばるという課題があった。また、突出した構造は遊技機の運搬時や設置時に破損しやすいという課題があった。
本発明は、上記課題にかんがみてなされたもので、運搬時や収納時においてかさばらない遊技機の提供を目的とする。
【課題を解決するための手段】
【０００４】
上記目的を達成するため、請求項１にかかる発明では、略箱状の本体部に視認可能な遊技領域が形成された遊技機において、
上記本体部に回動可能に枢支され、同本体部の側に折り畳み可能な付加部材を具備する構成としてある。
上記のように構成した請求項１の発明において、略箱状の本体部に前面側から視認可能な遊技領域が形成される。付加部材は、上記本体部に対して回動可能、かつ、同本体部の側に折り畳み可能に枢支される。かかる構成により、上記付加部材を上記本体部の側に折り畳んで上記遊技機を運搬することができる。
本発明は、上記の構成に限られるものではなく、以下の手段も含むものである。
【０００５】
手段１
手段１にかかる発明は、請求項１に記載した発明において、上記付加部材は装飾部材である構成としてある。
すなわち、装飾部材を上記付加部材とすることにより、同装飾部材を上記本体部の側に折り畳んで運搬等を行うことができる。
【０００６】
手段２
手段２にかかる発明は、請求項１に記載した発明において、上記付加部材は照明部材である構成としてある。
すなわち、照明部材を上記付加部材とすることにより、同照明部材を上記本体部の側に折り畳んで運搬等を行うことができる。
【０００７】
手段３
手段３にかかる発明は、請求項１に記載した発明において、上記付加部材はスピーカである構成としてある。
すなわち、スピーカを上記付加部材とすることにより、同スピーカを上記本体部の側に折り畳んで運搬等を行うことができる。
【０００８】
手段４
手段４にかかる発明は、請求項１に記載した発明において、上記付加部材はディスプレイである構成としてある。
すなわち、ディスプレイを上記付加部材とすることにより、同ディスプレイを上記本体部の側に折り畳んで運搬等を行うことができる。
【０００９】
手段５
手段５にかかる発明は、請求項１に記載した発明において、上記付加部材は追加部材が取り付け可能なベース部材である構成としてある。
すなわち、追加部材が取り付け可能なベース部材とすることにより、同ベース部材を上記本体部の側に折り畳んで運搬等を行うことができる。上記ベース部材には、さらに装飾用の部材やスピーカ等の上記追加部材を取り付けることが可能である。
【００１０】
手段６
手段６にかかる発明は、請求項１に記載した発明において、上記付加部材は仕切部材である構成としてある。
すなわち、仕切部材を上記付加部材とすることにより、同仕切部材を上記本体部の側に折り畳んで運搬等を行うことができる。上記仕切部材を設けることにより、例えば隣接する遊技機における遊技者から上記遊技領域を目隠しすることができる。
【００１１】
手段７
手段７にかかる発明は、請求項１または手段１から手段６のいずれかに記載した発明において、上記付加部材は上記本体部における上記遊技領域の外側において枢支されるとともに、同遊技領域の中央部に向かって折り畳み可能である構成としてある。
すなわち、上記付加部材を上記本体部における上記遊技領域の外側において枢支することにより、同付加部材に阻害されることなく同遊技領域を視認することができる。さらに、運搬等を行うときには、上記付加部材を上記遊技領域の中央部に向かって折り畳むことにより、上記遊技機がかさばらないようにすることができる。
【００１２】
手段８
手段８にかかる発明は、請求項１または手段１から手段７のいずれかに記載した発明において、上記付加部材には同付加部材に対して回動可能な回動部材が枢支される構成としてある。
すなわち、上記付加部材に対して、さらに回動可能な回動部材を備えるようにしてもよい。このようにすることにより、上記回動部材も折り畳んでおくことが可能となるため、上記遊技機の運搬性を向上させることができる。
【００１３】
手段９
手段９にかかる発明は、請求項１または手段１から手段８のいずれかに記載した発明において、上記付加部材には同付加部材に対してスライド可能なスライド部材が備えられる構成としてある。
すなわち、上記付加部材に対してスライド可能なスライド部材を備えるようにしてもよい。上記スライド部材をスライドさせて収納することができるため、上記遊技機がかさばらないようにすることができる。
【００１４】
手段１０
手段１０にかかる発明は、請求項１または手段１から手段９のいずれかに記載した発明において、上記付加部材を回動させる駆動装置が備えられる構成としてある。
すなわち、上記付加部材を人の手によって回動させてもよいし、駆動装置によって回動させるようにしてもよい。上記駆動装置として、例えば電動のモータやソレノイド等を適用することができる。
【００１５】
手段１１
手段１１にかかる発明は、手段１０に記載した発明において、上記駆動装置は上記遊技領域における遊技の状態に応じて上記付加部材を回動させる構成としてある。
すなわち、上記駆動装置が上記遊技領域における遊技の状態に応じて上記付加部材を回動させることにより、遊技状態をより分かりやすく遊技者に伝えることができる。例えば、上記遊技領域にて大当たりの遊技状態となったときに、上記付加部材が高速で回動するようにしてもよい。
【００１６】
手段１２
手段１２にかかる発明は、請求項１または手段１から手段１１のいずれかに記載した発明において、上記付加部材と上記本体部との連結部位を目隠しする目隠し部材が装着可能とされる構成としてある。
すなわち、上記付加部材と上記本体部との連結部位を目隠しすることにより、見栄えをよくすることができる。また、上記付加部材が折り畳み可能に連結されていることを遊技者に分かりにくくさせることができる。
【００１７】
手段１３
手段１３にかかる発明は、請求項１または手段１から手段１２のいずれかに記載した発明において、上記本体部に対して回動可能に連結され、所定の回動位置にて上記遊技領域を前面側から閉鎖可能なガラス枠が備えられるとともに、
上記付加部材は上記ガラス枠に枢支される構成としてある。
すなわち、上記ガラス枠を介して間接的に上記付加部材を上記本体部に回動可能に連結するようにしてもよい。上記ガラス枠は上記本体部に対して回動可能に連結され、所定の位置に回動させることにより遊技領域を前面側から閉鎖することができる。
【００１８】
手段１４
手段１４にかかる発明は、手段１３に記載した発明において、上記付加部材は、上記遊技領域が閉鎖するように上記ガラス枠を回動させたときに同ガラス枠における上記本体部に略密着する側に備えられる固定機構により、同ガラス枠と相対的に固定される構成としてある。
すなわち、上記遊技領域を閉鎖した状態において、上記ガラス枠における上記固定機構が備えられる側が上記本体部に略密着させられるため、同固定機構による固定を解除することが防止できる。従って、上記遊技領域を閉鎖した状態において、上記付加部材が回動されることを防止することができる。上記付加部材を回動するためには、上記遊技領域が開放されるように上記ガラス枠を開放させておく必要があるため、上記遊技機の稼働中において同付加部材が回動されないようにすることができる。
【００１９】
手段１５
手段１５にかかる発明は、請求項１または手段１から手段１１のいずれかに記載した発明において、上記遊技機は上記遊技領域にてドラムが回転させられるスロットマシンである構成としてある。
すなわち、本発明をスロットマシンに適用することができる。なお、スロットマシンは、回転する複数のリールに描かれた絵柄を絵合わせすることにより遊技を楽しむ遊技機であり、主にメダルが遊技量の目安として使用される。
【００２０】
手段１６
手段１６にかかる発明は、請求項１または手段１から手段１１のいずれかに記載した発明において、上記遊技機は上記遊技領域にて遊技球が流下させられるとともに、同遊技領域にてドラムが回転させられるパチロットである構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、装飾等の上記付加部材を折り畳み可能に備えることにより、運搬等を容易に行うことができる。
【発明の効果】
【００２１】
以上説明したように、請求項１にかかる発明によれば、運搬時や収納時においてかさばらない遊技機を提供することができる。
手段１にかかる発明によれば、遊技機をかさばらせることなく立体的な装飾を備えさせることができる。
手段２にかかる発明によれば、照明部材を折り畳んで収納することができる。
手段３にかかる発明によれば、スピーカを折り畳んで収納することができる。
手段４にかかる発明によれば、ディスプレイを折り畳んで収納することができる。
【００２２】
手段５にかかる発明によれば、折り畳み可能な付加部材に対して、さらに追加部材を取り付けることができる。
手段６にかかる発明によれば、折り畳み可能な仕切部材を備えさせることができる。
手段７にかかる発明によれば、運搬時や収納時に付加部材を遊技機の本体部から突出させないようにすることができる。
【００２３】
手段８にかかる発明によれば、付加部材に対して回動部材を折り畳むことができる。
手段９にかかる発明によれば、スライド部材がかさばらないようにすることができる。
手段１０にかかる発明によれば、電気等の動力を利用して付加部材を回動させることができる。
手段１１にかかる発明によれば、付加部材の回動を遊技状態と連動して行うことができる。
【００２４】
手段１２にかかる発明によれば、遊技機の見栄えをよくすることができる。
手段１３にかかる発明によれば、付加部材を間接的に連結することができる。
手段１４にかかる発明によれば、遊技機の稼働時に付加部材が回動させられないようにすることができる。
手段１５にかかる発明によれば、かさばらないスロットマシンを提供することができる。
手段１６にかかる発明によれば、かさばらないパチロットを提供することができる。
【発明を実施するための最良の形態】
【００２５】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）第六の実施形態：
（７）第七の実施形態：
（８）第八の実施形態：
（９）第九の実施形態：
（１０）第十の実施形態：
（１１）まとめ：
【００２６】
（１）第一の実施形態：
図１は、本発明の第一の実施形態にかかるパチンコ遊技機を斜めから見て示している。同図において、パチンコ遊技機１は木材を矩形枠状に組んで形成した外枠１１と、同外枠１１の内側に形成された矩形開口に嵌め込まれた本体枠１２と、同本体枠１２に回動可能に枢支された回動扉としてのガラス枠１３とから本体部が構成されており、全体として略箱状となっている。外枠１１をホールに固定することにより、パチンコ遊技機１は正立した状態で設置される。本体枠１２の前面側には表示装置や釘や風車や入賞口等が配置された略円形の遊技領域１４が形成されており、同遊技領域をガラス枠１３に保持されたガラス１３ａによって前面側から閉鎖することによって略閉鎖空間が形成される。そして、略閉鎖された遊技領域１４にて遊技球を発射し、流下させることにより遊技を行うことが可能となっている。また、ガラス１３ａは透光性を有しているため、遊技領域１４の遊技状態を遊技者は前面側から視認することが可能となっている。
【００２７】
ガラス枠１３における遊技領域１４に対応する部位には略円形の開口が設けられており、この開口よりやや大きく形成された板状のガラス１３ａをガラス枠１３の裏側に取り付けることにより同開口が塞がれている。この開口の周縁を前面側に隆起させ厚みを厚くすることにより、同開口を円環状に取り囲む枢支部２０が形成されている。これにより、ガラス枠１３の開口から露出するガラス１３ａおよび遊技領域１４は、その周囲の枢支部２０と比較して窪んだ位置となっている。枢支部２０は断面が略円形となるように形成されており、上側および右側および左側にそれぞれ付加部材３０，４０，５０が回動可能に枢支されている。上側の付加部材３０は外枠１１よりも上方に突出しており、右側の付加部材４０は外枠よりも右方向に突出している。さらに、左側の付加部材５０は外枠よりも左方向に突出している。
【００２８】
付加部材３０，４０，５０はそれぞれ内部にＬＥＤを備えており、各ＬＥＤが点灯することより、中央の遊技領域１４を照明し、装飾することができる。付加部材３０，４０，５０はそれぞれ略円柱状の軸部３１，４１，５１を備えており、枢支部２０の軸方向と同軸部３１，４１，５１の軸方向が一致するように同軸部３１，４１，５１が配向している。そして、軸部３１，４１，５１が枢支部２０の各部位にて回動可能に連結され、付加部材３０，４０，５０は軸部３１，４１，５１を軸として回動することが可能となっている。
【００２９】
図２は、パチンコ遊技機１を斜めから見て示している。同図において、付加部材３０，４０，５０はそれぞれ軸部３１，４１，５１を軸として中央の遊技領域１４に向かって回動させられている。このようにすることにより、図１の状態ではパチンコ遊技機１の本体部の外側に突出していた付加部材３０，４０，５０を、同本体部の外側に突出させないようにすることができる。また、遊技領域１４は枢支部２０に囲まれた窪みとなっているため、付加部材３０，４０，５０を遊技領域１４に向かって回動させることにより、この窪みに付加部材３０，４０，５０を収容することができる。従って、付加部材３０，４０，５０が枢支部２０よりも前方に突出させないようにすることができる。
【００３０】
以上説明したように付加部材３０，４０，５０を回動可能に取り付けることにより、付加部材３０，４０，５０を折り畳んでおくことができるため、パチンコ遊技機１をかさばらないようにすることができる。従って、パチンコ遊技機１を効率よく運搬したり、倉庫等に収納したりすることができる。また、付加部材３０，４０，５０がパチンコ遊技機１から突出しないため、運搬等の際に付加部材３０，４０，５０が破損される可能性も低減する。一方、図１のように付加部材３０，４０，５０を開いた状態では照明の面積が大きく確保することができ、迫力のある装飾を実現することができる。また、付加部材３０，４０，５０の回動位置を調整することにより、パチンコ遊技機１を大きく見せたり、前面側に立体的にしたりすることができ、遊技機やホール管理者の趣向に適合させることができる。
【００３１】
図３は、ガラス枠１３を本体枠１２に対して回動させた様子を示している。同図において、略板状のガラス枠１３は本体枠１２から離反するように対して回動させられており、遊技領域１４を前面側に開放することができる。遊技領域１４を前面側に開放することにより、遊技領域１４の釘の角度調整等のメンテナンスを行うことができる。このような場合においても、予め付加部材３０，４０，５０を遊技領域１４に向かって回動させておくことにより、ガラス枠１３の回動をスムーズに行うことができる。すなわち、付加部材３０，４０，５０を遊技領域１４に向かって回動させておくことにより、ガラス枠１３が回動する際に付加部材３０，４０，５０が隣接するパチンコ遊技機やサンド等に干渉することが防止できる。
【００３２】
図４は、右側の付加部材４０を斜めから見て示している。なお、同図において付加部材４０は枢支部２０から取り外されている。また、他の付加部材３０，５０も付加部材４０とほぼ同じ構成とされているため、説明は省略する。円柱状に形成された軸部４１の中心を回動軸４２が軸方向に貫通して備えられている。回動軸４２は軸部４１の上面および底面からそれぞれ外側に突出しており、下端には歯車４２ａが備えられている。回動軸４２と軸部４１と歯車４２ａとは相対的に固定されている。
【００３３】
軸部４１の側面から同軸部４１の径方向外側に向かって略板状の照明部材４３が突設されている。照明部材４３は略箱状に形成され、内部が中空状となっている。照明部材４３の内部にはプリント基板４３ｃが備えられ、同プリント基板４３ｃ上に多数のＬＥＤ４３ｄ，４３ｄ，４３ｄ・・・が実装されている。照明部材４３は透光性を有する合成樹脂で外殻が形成されており、ＬＥＤ４３ｄ，４３ｄ，４３ｄ・・・の光を透過させることが可能となっている。ＬＥＤ４３ｄ，４３ｄ，４３ｄ・・・の光を透過させる面にレンズ構造や散乱構造を設けることにより、ＬＥＤ４３ｄ，４３ｄ，４３ｄ・・・の光をより装飾的に加工してもよい。  
【００３４】
照明部材４３の上端および下端には略円柱状の連結部４３ａ，４３ａが延設されており、連結部４３ａ，４３ａはそれぞれ軸方向の中央部にて分断されている。そして、上方の連結部４３ａにおける分断された部位に、略板状の回動部材４４の下端から下方に延設された略円柱状の回動部４４ａが埋設されている。上方の連結部４３ａおよび回動部４４ａの中央部にはそれぞれ軸方向に貫通する軸穴が形成されており、この軸穴を貫通するように金属製の回動軸４３ｂが備えられている。これにより、回動部材４４は回動軸４３ｂを軸として回動することが可能となっている。同様に、下方の連結部４３ａに対して回動部材４５が連結されており、回動部材４５は下方の回動軸４３ｂを軸として回動することが可能となっている。回動部材４４，４５も照明部材４３と同様に内部にＬＥＤを備えており、それぞれ発光することが可能となっている。
【００３５】
図５は、枢支部２０の一部を斜めから見て示している。同図において、円環状に隆起する枢支部２０の一部を分断することにより凹部２１が形成されている。枢支部２０の裏側には金属製のガラス保持レール１３ｂが突設されており、同ガラス保持レール１３ｂにてガラス１３ａの一端を保持している。凹部２１は半円柱状に凹んだ形状となっており、底面２１ａおよび上面２１ｂとの間隔で定義される高さは軸部４１の高さよりもやや大きく形成されている。凹部２１の側面２１ｃの曲率は軸部４１の側面の曲率とほぼ同じとなるように形成されている。側面２１ｃには穴が形成されており、この穴から配線２２ｄが導出されている。配線２２ｄは所定の長さに形成されており、先端にはコネクタ２２ｅを備えている。
【００３６】
凹部２１の上面２１ｂには円形の軸穴２２が形成されており、同軸穴２２の径は回動軸４２の径よりもやや大きく形成されている。一方、枢支部２０における凹部２１の底面２１ａの下方部分には、前面側部分を切り欠くことにより駆動機構保持部２６が形成されている。一方、切り欠かれた駆動機構保持部２６と同形状の蓋部材２７が形成されており、同蓋部材２７から一対の係合爪２７ａ，２７ａが突設されている。駆動機構保持部２６に対して蓋部材２７を嵌め込むことが可能となっており、その際に係合爪２７ａ，２７ａが枢支部２０の内側壁面に形成された係合溝２６ａ，２６ａに係合する。
【００３７】
このとき、凹部２１の底面２１ａに形成された半円状の切り欠き２３ａと、蓋部材２７の上面に形成された半円状の切り欠き２３ｂとが合体し、回動軸４２の径よりもやや径が大きい軸穴２３が形成される。凹部２１における上方の軸穴２２と下方の軸穴２３とは同一の鉛直軸上に位置することとなる。駆動機構保持部２６の内部にはモータ２４とスイッチ２５が保持されている。モータ２４は上端に歯車２４ａを有し、鉛直方向に立設する駆動軸を備えており、所定の電流が供給されることにより、歯車２４ａを回転駆動させることが可能となっている。スイッチ２５は、モータ２４に供給する電流のＯＮ／ＯＦＦ、および、電流の方向を制御基板等の指令に応じて切り換えることが可能な素子である。
【００３８】
駆動機構保持部２６に対して蓋部材２７を嵌め込まない状態においては、下方の軸穴２３が開放されるため、付加部材４０の回動軸４３ｂを上方の軸穴２２に挿通させることができる。具体的には、付加部材４０の軸部４１をやや傾斜させつつ、軸部４１を上方に押し上げることにより、回動軸４３ｂを上方の軸穴２２に挿通させることができる。その後、駆動機構保持部２６に蓋部材２７を嵌め込むことより、付加部材４０の回動軸４３ｂを下方の軸穴２３においても軸受けすることができる。これにより、付加部材４０は枢支部２０に対して鉛直方向の回動軸を中心として回動可能に保持されたこととなる。
【００３９】
また、以上のようにして回動軸４３ｂを上下の軸穴２２，２３に軸受けさせると、回動軸４３ｂに設けられた歯車４２ａと、モータ２４の歯車２４ａとが噛合させることができる。従って、モータ２４の駆動力を付加部材４０の回動軸４３ｂに伝達することができ、モータ２４の駆動によって付加部材４０を駆動させることができる。従って、スイッチ２５に指令することにより、付加部材４０を回動させたり、停止させたり、回動方向を切り換えたりすることができる。
【００４０】
付加部材４０を枢支部２０に取り付けるにあたり、予め配線２２ｄの先端のコネクタ２２ｅを、軸部４１の側面に形成された図示しないコネクタと嵌合させておく。このようにすることにより、付加部材４０に電源を供給することが可能となり、ＬＥＤ４３ｄ，４３ｄ，４３ｄ・・・を点灯させることが可能となる。付加部材４０が回動する際には、軸部４１の側のコネクタも移動するため、コネクタ２２ｅも移動することとなる。配線２２ｄは長めに形成されているため、付加部材４０の回動に伴うコネクタ２２ｅの移動を許容することが可能となっている。すなわち、付加部材４０を回動させつつ照明部材４３における照明を実現することができる。また、回動部材４４，４５もコネクタ２２ｅによって間接的に電力が供給されているめ、同様に照明を行うことができる。
【００４１】
かかる構成により、付加部材４０によって装飾効果の高い照明を行うことができる。例えば、ＬＥＤ４３ｄ，４３ｄ，４３ｄ・・・を点灯タイミングと付加部材４０の回動タイミングとを遊技状態の応じて制御することにより、遊技者に遊技状態を確実に伝達することができる。例えば、大当たり状態においてＬＥＤ４３ｄ，４３ｄ，４３ｄ・・・の点滅周期を短くしたり、付加部材４０の回動速度や、付加部材４０の回転についての往復周期を短くすることにようにしてもよい。このようにすることにより、特別な遊技状態となっていることを遊技者に効果的に伝達することができる。また、パチンコ遊技機１の主電源がＯＦＦとなったときに、付加部材３０，４０，５０が遊技領域１４に向かって回動するようにしてもよい。このようにすることにより、パチンコ遊技機１の非稼働時におけるメンテナンスや運搬等をスムーズに行うことが可能となる。
【００４２】
（２）第二の実施形態：
図６は、第二の実施形態にかかる付加部材１４０を斜めから見て示している。同図において、軸部１４１から略板状のスピーカ部材１４３が突設されている。スピーカ部材１４３は内部にスピーカ１４３ｄを備えており、筐体には同スピーカ１４３ｄの音を外側に伝えるための複数の穴１４３ｅ，１４３ｅ，１４３ｅ・・・が多数穿設されている。また、スピーカ部材１４３の上方および下方には回動スピーカ１４４，１４５がそれぞれ回動可能に連結されており、回動スピーカ１４４，１４５において音声を出力することが可能となっている。
【００４３】
このように、付加部材１４０をスピーカとして利用してもよい。付加部材１４０を開くことにより、遊技者を取り囲むようなスピーカの配置とすることができるため、高いサラウンド効果を実現することができる。また、隣接するパチンコ遊技機から発せられる音を遊技者に混同させることを防止することができる。また、付加部材１４０を複数の位置（例えば、遊技領域の上下左右）に取り付け、各スピーカにて出力を担当する帯域を分担させるようなスピーカシステムを形成してもよい。また、この場合、遊技機側に同スピーカシステムに適合したサウンドプロセッサを設けることにより、臨場感のある音声を出力することができる。むろん、左右の付加部材１４０にてステレオ音声を出力するようにしてもよい。
【００４４】
このように、遊技者をスピーカが取り囲むことにより、高い音響効果を実現することが可能であるが、付加部材１４０は折り畳み可能であるため、必要に応じて図２のような状態に収納させておくことができる。従って、容易に運搬やメンテナンス等を行うことができる。なお、スピーカ１４３ｄおよび回動スピーカ１４４，１４５に音声信号を伝達するためのケーブルを第一の実施形態における配線２２ｄのように接続すればよい。
【００４５】
（３）第三の実施形態：
図７は、第三の実施形態にかかる付加部材２４０を斜めから見て示している。同図において、第三の実施形態にかかる付加部材２４０を斜めから見て示している。同図において、軸部２４１から略板状の液晶保持部２４３が突設されている。液晶保持部２４３は内部に液晶ディスプレイ２４３ｄを備えており、前面側に形成された矩形開口から液晶ディスプレイ２４３ｄの表示面を露出させている。また、液晶保持部２４３の上方および下方には回動スピーカ２４４，２４５がそれぞれ回動可能に連結されており、回動スピーカ２４４，２４５において音声を出力することが可能となっている。
【００４６】
液晶ディスプレイ２４３ｄは所定の映像データに応じて映像を再現することが可能な表示素子である。このように、液晶ディスプレイ２４３ｄを備えることにより、遊技領域の周囲においても動的な表示を行うことができる。従って、より表現性の豊かな遊技機を形成することができる。なお、液晶ディスプレイ２４３ｄに映像データを伝達するためのケーブルを第一の実施形態における配線２２ｄのように接続すればよい。本実施形態においても、付加部材２４０は折り畳み可能であるため、必要に応じて図２のような状態に収納させておくことができる。また、付加部材２４０を折り畳むことにより、運搬中等において液晶ディスプレイ２４３ｄに傷が付くことを防止することができる。
【００４７】
（４）第四の実施形態：
図８は、第四の実施形態にかかる付加部材３４０を斜めから見て示している。同図において、軸部３４１から略板状の保持部３４３が突設されている。保持部３４３の上面の開口３４３ａから上方に向かって略板状のスライド板３４４が突出している。さらに、保持部３４３の側面の開口３４３ｂから右方に向かって略板状のスライド板３４５が突出し、保持部３４３の下面の開口３４３ｃから下方に向かって略板状のスライド板３４６が突出している。付加部材３４０の内部にはスライド板３４４，３４５，３４６が収容可能な空間がそれぞれ形成されており、スライド板３４４，３４５，３４６を内部に向かってスライドさせて収容することが可能となっている。
【００４８】
保持部３４３およびスライド板３４４，３４５，３４６には装飾としての模様が描かれている。このような付加部材３４０を遊技機に取り付けることにより、広い装飾面積を確保することができる。すなわち、スライド板３４４，３４５，３４６をそれぞれ外側にスライドさせることにより、保持部３４３およびスライド板３４４，３４５，３４６を利用して遊技機を装飾することができる。従って、装飾効果を向上させることができる。本実施形態においても、付加部材４４０は折り畳み可能であるため、必要に応じてスライド板３４４，３４５，３４６を保持部３４３の内部にスライドさせ、保持部３４３を折り畳むことにより、遊技機全体がかさばらないようにすることができる。
【００４９】
（５）第五の実施形態：
図９は、第五の実施形態にかかる付加部材４４０を斜めから見て示している。同図において、軸部４４１から略板状のベース部材４４３が延設されている。ベース部材４４３は所定の厚みを有しており、厚み方向に複数の穴４４３ａ，４４３ａ，４４３ａ・・・が貫通して形成されている。穴４４３ａ，４４３ａ，４４３ａ・・・は、ベース部材４４３の全面にわたってグリッド状に配置されている。
【００５０】
図１０は、第五の実施形態にかかるパチンコ遊技機４を斜めから見て示している。同図において、パチンコ遊技機４における遊技領域４１４の上部および左右にそれぞれ付加部材４３０，４４０，４５０が回動可能に取り付けられており、各付加部材４３０，４４０，４５０のベース部材４３３，４４３，４５３にまたがるような形状の追加部材４６０が取り付けられている。なお、付加部材４３０，４５０は付加部材４４０と同様に形成されているため、説明は省略する。追加部材４６０は遊技領域を円環状に取り囲んで装飾する部材であり、一部がパチンコ遊技機４の外側に突出している。
【００５１】
追加部材４６０の裏側には複数のネジ穴が形成されている。そして、ベース部材４３３，４４３，４５３に形成された穴４３３ａ，４３３ａ，４３３ａ・・・，４４３ａ，４４３ａ，４４３ａ・・・，４５３ａ，４５３ａ，４５３ａ・・・に対して裏側からネジを貫通させつつ、追加部材４６０のネジ穴に同ネジを螺合させることにより、追加部材４６０とベース部材４３３，４４３，４５３とを固定している。追加部材４６０とベース部材４３３，４４３，４５３とが固定されると、付加部材４３０，４４０，４５０は回動することができなくなる。
【００５２】
このように、ベース部材４３３，４４３，４５３に対して、さらに追加部材４６０を取り付けるようにしてもよい。また、ベース部材４３３，４４３，４５３に取り付ける部材は、装飾を行うための部材に限られず、種々の部材を取り付けることができる。例えば、スピーカや照明等を追加して取り付けるようにしてもよい。また、個々のベース部材４３３，４４３，４５３に対して追加部材を個別に取り付けるようにしてもよい。また、ベース部材４３３，４４３，４５３に形成された穴４３３ａ，４３３ａ，４３３ａ・・・，４４３ａ，４４３ａ，４４３ａ・・・，４５３ａ，４５３ａ，４５３ａ・・・は、ベース部材４３３，４４３，４５３においてグリット状に分布しているため、種々の追加部材を汎用的に取り付けることができる。
【００５３】
本実施形態においても、予め追加部材４６０をベース部材４３３，４４３，４５３から取り外しておくことにより、付加部材４３０，４４０，４５０を折り畳むことができるため、パチンコ遊技機４をかさばらせないようにすることができる。なお、追加部材４６０とベース部材４３３，４４３，４５３とを係合機構等によって固定するようにしてもよい。
【００５４】
（６）第六の実施形態：
図１１は、第六の実施形態にかかるパチンコ遊技機５を斜めから見て示している。遊技領域５１４の左右に付加部材としての仕切部材５４０，５５０が設けられている。仕切部材５４０，５５０はパチンコ遊技機５の前方領域を左右外側から区画するように形成されており、それぞれ軸部５３１，５４１から延設されている。軸部５３１，５４１はガラス枠５１３に対して回動可能に枢支されているため、仕切部材５４０，５５０を内側に折り畳むことが可能となっている。このようにすることにより、パチンコ遊技機５の前方に区画された空間を形成することができるため、遊技者が隣接するパチンコ遊技機や遊技者等に気を取られることなく集中して遊技を楽しむことができる。
【００５５】
本実施形態において、パチンコ遊技機５の前方を区画することから仕切部材５４０，５５０は広面積となるが、仕切部材５４０，５５０を内側に折り畳んでおくことができるため、遊技がされないときにはパチンコ遊技機５をかさばらせないようにすることができる。
【００５６】
（７）第七の実施形態：
図１２は、第七の実施形態にかかるパチンコ遊技機６を斜めから見て示している。遊技領域６１４の左右および上部に第一の実施形態と同様の付加部材６３０，６４０，６５０が設けられている。付加部材６３０，６４０，６５０はそれぞれ軸部６３１，６４１，６５１にてガラス枠６１３の枢支部６２０と連結されているが、軸部６３１，６４１，６５１と同軸部６３１，６４１，６５１の周囲はそれぞれ前面側から取り付けられた目隠し部材６３８，６４８，６５８によって目隠しされている。目隠し部材６３８，６４８，６５８は前面側に装飾が形成されるとともに、装飾効果を有する形状に成型されており、パチンコ遊技機６の装飾性を向上させることが可能となっている。
【００５７】
このように、軸部６３１，６４１，６５１と同軸部６３１，６４１，６５１の周囲を目隠し部材６３８，６４８，６５８によって隠すことにより、パチンコ遊技機６の見栄えをよくすることができるとともに、付加部材６３０，６４０，６５０がそれぞれ回動可能に連結されていることを遊技者に分からなくさせることができる。従って、付加部材６３０，６４０，６５０が遊技者のいたずら等によって回動されることを防止することができる。また、付加部材６３０，６４０，６５０を取り付けることにより、付加部材６３０，６４０，６５０と目隠し部材６３８，６４８，６５８とが干渉することとなるため、付加部材６３０，６４０，６５０の不正な回動を防止することができる。
【００５８】
図１３は、目隠し部材６４８を背面側から見て示している。なお、目隠し部材６３８，６５８については、目隠し部材６４８と同様の構成とされているため説明は省略する。同図において、目隠し部材６４８は略矩形箱状に形成されており、背面側が開口している。中空状の内部には背面側に突出する上下一対の固定板６４８ａ，６４８ａが延設されている。固定板６４８ａ，６４８ａの間隔は軸部６４１の高さよりわずかに広く形成されており、固定板６４８ａ，６４８ａの先端部分に略円形の切り欠きを形成することにより嵌合部６４８ｂ，６４８ｂが設けられている。略円形の嵌合部６４８ｂ，６４８ｂの径は回動軸６４２の径とほぼ同じとされ、嵌合部６４８ｂ，６４８ｂの円心から背面側に少しずれた位置にて固定板６４８ａ，６４８ａを切断することにより嵌合部６４８ｂ，６４８ｂが背面側に開放されている。従って、嵌合部６４８ｂ，６４８ｂの背面側方向の開口は回動軸６４２の径よりも小さく形成されている。
【００５９】
このようにすることにより、嵌合部６４８ｂ，６４８ｂの背面側の開口を押し広げつつ同嵌合部６４８ｂ，６４８ｂをそれぞれ回動軸６４２に嵌め込むことができる。なお、固定板６４８ａ，６４８ａは枢支部６２０と軸部６１４の上下に形成される隙間に入り込むことが可能な厚みに形成されている。これにより、嵌合部６４８ｂ，６４８ｂに回動軸６４２が嵌合することとなるため、目隠し部材６４８をガラス枠６１３に固定することができる。目隠し部材６４８には枢支部６２０との干渉を避けるための切り欠き６４８ｄ，６４８ｄが形成されるとともに、外側に突出する付加部材６４０との干渉を避けるための切り欠き６４８ｃが形成されている。従って、これらの切り欠き６４８ｄ，６４８ｄ，６４８ｃに枢支部６２０および付加部材６４０が入り込むように、切り欠き６４８ｃを装着することができる。同時に、付加部材６４０が切り欠き６４８ｃによって前面側から押さえ付けられることとなるため、付加部材６４０の不用意な回動を防止することができる。
【００６０】
（８）第八の実施形態：
図１４は、第八の実施形態にかかるガラス枠を背面側から見て示している。同図において、ガラス枠７１３の幅方向端部を示しており、前面側には第一の実施形態と同様の構成とされた付加部材７４０が装着されている。付加部材７４０には二穴のネジ穴が形成されており、ガラス枠７１３にも二穴の貫通穴が背面側から貫通するように形成されている。そして、付加部材７４０を所定位置に回動させたとき、上記ネジ穴と上記貫通穴とが重なり、ネジ７９０，７９０によってネジ止め固定を行うことが可能となっている。ネジ７９０，７９０を螺合させることにより、付加部材７４０とガラス枠７１３とが相対的に固定されるため、付加部材７４０が回動しないようにすることができる。
【００６１】
本発明にいう固定機構に相当するネジ７９０，７９０は遊技領域が前面側から閉鎖されるように回動させたとき本体枠に略密着するガラス枠７１３の背面側から螺合されるため、ネジ７９０，７９０を取り外すためにはガラス枠７１３を予め回動させ、遊技領域を開放しておく必要がある。従って、遊技領域がガラス枠７１３によって閉鎖される状態においては、付加部材７４０の固定を解除し、付加部材７４０を不可能とすることができる。従って、不正に付加部材７４０が回動されることを防止することができる。
【００６２】
（９）第九の実施形態：
図１５は、第九の実施形態にかかる遊技機としてのスロットマシン８を斜めから見て示している。スロットマシン８は、遊技領域８１４に回転可能なドラム８１１を有しており、同ドラム８１１に表示された絵柄を揃えることにより遊技が行われる遊技機である。遊技媒体としては一般にメダルが使用される。このようなスロットマシン８においても遊技領域８１４の上方に付加部材６３０を回動可能に配設することができる。例えば、付加部材８３０を装飾部材とすることにより、遊技領域８１４の装飾効果を向上させることができる。むろん、付加部材８３０を折り畳んでおくことができるため、スロットマシン８がかさばることもない。
【００６３】
（１０）第十の実施形態：
図１６は、第十の実施形態にかかる遊技機としてのパチロット９を斜めから見て示している。パチロット９は、スロットマシンにおけるメダルの代わりに遊技球を利用するものであり、例えば、パチンコ球の５個がメダル１個に相当して遊技を楽しむことができる。パチロット９は、スロットマシンと同様に回転するドラムを備えるとともに、パチンコ遊技機と同様に遊技球が流通可能な遊技領域９１４を有している。このようなパチロット９においても遊技領域９１４の左右に付加部材９４０，９５０を回動可能に配設することができる。例えば、付加部材９４０，９５０をスピーカとすることにより、パチロット９の音響効果を向上させることができる。むろん、付加部材９４０，９５０を折り畳んでおくことができるため、パチロット９がかさばることもない。
【００６４】
（１１）まとめ：
以上説明したように、本発明において、照明部材を有する付加部材３０，４０，５０がパチンコ遊技機１のガラス枠１３に対して回動可能に取り付けられる。付加部材３０，４０，５０はパチンコ遊技機１の前方や外側に突出するため、高い装飾効果を実現することができる。一方、付加部材３０，４０，５０は回動可能であるため、付加部材３０，４０，５０を折り畳んでおくことができる。従って、パチンコ遊技機１をかさばらないようにすることができる。従って、パチンコ遊技機１を効率よく運搬したり、倉庫等に収納したりすることができる。
【図面の簡単な説明】
【００６５】
【図１】第一の実施形態にかかるパチンコ遊技機の斜視図である。
【図２】第一の実施形態にかかるパチンコ遊技機の斜視図である。
【図３】第一の実施形態にかかるパチンコ遊技機の斜視図である。
【図４】第一の実施形態にかかる付加部材の斜視図である。
【図５】第一の実施形態にかかるガラス枠の斜視図である。
【図６】第二の実施形態にかかる付加部材の斜視図である。
【図７】第三の実施形態にかかる付加部材の斜視図である。
【図８】第四の実施形態にかかる付加部材の斜視図である。
【図９】第五の実施形態にかかる付加部材の斜視図である。
【図１０】第五の実施形態にかかるパチンコ遊技機の斜視図である。
【図１１】第六の実施形態にかかるパチンコ遊技機の斜視図である。
【図１２】第七の実施形態にかかるパチンコ遊技機の斜視図である。
【図１３】第七の実施形態にかかる目隠し部材の斜視図である。
【図１４】第八の実施形態にかかるガラス枠の背面図である。
【図１５】第九の実施形態にかかるスロットマシンの斜視図である。
【図１６】第十の実施形態にかかるパチロットの斜視図である。
【符号の説明】
【００６６】
１，４，５，６…パチンコ遊技機
８…スロットマシン
９…パチロット
１３，５１３…ガラス枠
１３ａ…ガラス
１４，４１４，５１４，８１４，９１４…遊技領域
２０…枢支部
２４…モータ
２５…スイッチ
２６…駆動機構保持部
２７…蓋部材
３０，４０，５０，１４０，２４０，３４０，４３０，４４０，４５０…付加部材
６３０，６４０，６５０，７４０，８３０，９４０，９５０…付加部材
３１，４１，５１，１４１，２４１，３４１，４４１，５４１，５５１…軸部
４２…回動軸
１４３…スピーカ部材
２４３ｄ…液晶ディスプレイ
３４４，３４５，３４６…スライド板
４３３，４４３，４５３…ベース部材
４６０…追加部材
５４０，５５０…仕切部材
【図１】
2006043267.tif 000003
【図２】
2006043267.tif 000004
【図３】
2006043267.tif 000005
【図４】
2006043267.tif 000006
【図５】
2006043267.tif 000007
【図６】
2006043267.tif 000008
【図７】
2006043267.tif 000009
【図８】
2006043267.tif 000010
【図９】
2006043267.tif 000011
【図１０】
2006043267.tif 000012
【図１１】
2006043267.tif 000013
【図１２】
2006043267.tif 000014
【図１３】
2006043267.tif 000015
【図１４】
2006043267.tif 000016
【図１５】
2006043267.tif 000017
【図１６】
2006043267.tif 000018